(57)【特許請求の範囲】
【請求項１】
４辺部が間仕切り壁によって間仕切りされた矩形平面形状を備えると共に、便器が据付けられたトイレブースにおいて、
前記矩形平面形状の一箇所の角部を挟んだ両側の辺部の間仕切り壁を切り欠いて、一方の辺部の略２／３の開口領域と、他方の辺部の略１／２の開口領域とが連続した開口部が形成されており、
前記一方の辺部には、当該一方の辺部に沿って移動可能な２枚引戸が前記開口領域を開閉可能に設けられており、前記他方の辺部には、当該他方の辺部に沿って移動可能な１枚引戸が前記開口領域を開閉可能に設けられており、
平面Ｌ字形状の引戸レール枠が、前記一方の辺部の間仕切り壁の上部内壁面と、前記他方の辺部の間仕切り壁の上部内壁面とに沿わせると共に、前記開口領域の上方のまぐさ部の内壁面に沿わせた状態で、平面Ｌ字形状の角部を前記矩形平面形状の一箇所の角部の上部に配置して、前記一方の辺部の間仕切り壁と前記他方の辺部の間仕切り壁との間に跨るようにして取り付けられており、
前記引戸レール枠には、ガイドレールが設けられており、該ガイドレールに上端部を走行可能に係止させて、前記２枚引戸と前記１枚引戸とが、前記一方の辺部や前記他方の辺部に沿って、前記開口領域を開閉可能にスライド移動するトイレブース。
【請求項２】
前記引戸レール枠は、前記２枚引戸を案内するガイドレールが設けられた箱状枠部と、前記１枚引戸を案内するガイドレールが設けられた棒状枠部とからなる請求項１に記載のトイレブース。
【請求項３】
前記引戸レール枠に沿ってスライド移動する前記２枚引戸や前記１枚引戸の下端面には、下部走行車輪が取り付けられており、これらの下部走行車輪は、前記一方の辺部の間仕切り壁や前記他方の辺部の間仕切り壁に沿ってこれらの内側の床面に取り付けられた下部ガイドレール上を、走行移動するようになっている請求項１又は２に記載のトイレブース。
【発明の詳細な説明】
【技術分野】
【０００１】
本発明は、トイレブースに関し、特に、被介護者や車椅子利用者が使用するのに適したトイレブースに関する。
【背景技術】
【０００２】
例えば公共施設等に設けられるトイレブース（トイレルーム）として、介護が必要な被介護者や、車椅子利用者等が使用するのに適した構造を備えるトイレブースが種々開発されている。このようなトイレブースでは、出入口部分を広くとって被介護者や車椅子利用者等の出入りを容易にすると共に、広い空間を確保して、介護者による介護作業を行い易くしたり、車椅子を置けるようにする工夫がなされている。
【０００３】
このような広い出入口部分や広い空間を備えるトイレブースを設けるための広いスペースは、例えば公共施設等においては容易に確保することができるが、一般の住宅などにおける限られた居住空間においては、このような広いスペースを割くことは困難である。また、住宅などの限られた居住空間においても、介護作業などを容易に行うことができるようにするためのトイレルームも開発されている（例えば、特許文献１参照）。
【特許文献１】特開２００３−２０８０３号公報
【発明の開示】
【発明が解決しようとする課題】
【０００４】
特許文献１に記載のトイレルームでは、矩形平面形状を有するトイレルームの一箇所の角部を挟んだ二つの壁面に各々出入り口が形成されており、一方の出入り口には開戸による開閉扉が設けられており、また他方の出入り口には引戸による開閉扉が設けられている。
【０００５】
しかしながら、特許文献１に記載のトイレルームでは、一方の出入り口の開閉扉が開戸となっており、他方の出入り口の開閉扉が引戸となっているため、一箇所の角部を挟んだ二つの壁面の出入り口が当該角部で連続することなく分断され（引用文献１の図３参照）、二箇所の出入り口を介して二方向から各々被介護者や介護者が出入りする構造となっている。これに対して、一箇所の角部を挟んだ両側の壁面に設けられた、開閉扉を有する出入り口を連続させることを可能にして、これらが一体となった大きな開口部を形成できるようにすれば、介護作業等をさらに容易に行うことが可能になるものと考えられる。
【０００６】
本発明は、矩形平面形状の一箇所の角部を挟んだ両側の壁面に設けられた、開閉扉を有する出入り口を連続させることを可能にして、広いスペースを割くことなく介護作業等をさらに容易に行うことのできるトイレブースを提供することを目的とする。
【課題を解決するための手段】
【０００７】
本発明は、４辺部が間仕切り壁によって間仕切りされた矩形平面形状を備えると共に、便器が据付けられたトイレブースにおいて、前記矩形平面形状の一箇所の角部を挟んだ両側の辺部の間仕切り壁を切り欠いて、一方の辺部の略２／３の開口領域と、他方の辺部の略１／２の開口領域とが連続した開口部が形成されており、前記一方の辺部には、当該一方の辺部に沿って移動可能な２枚引戸が前記開口領域を開閉可能に設けられており、前記他方の辺部には、当該他方の辺部に沿って移動可能な１枚引戸が前記開口領域を開閉可能に設けられており、平面Ｌ字形状の引戸レール枠が、前記一方の辺部の間仕切り壁の上部内壁面と、前記他方の辺部の間仕切り壁の上部内壁面とに沿わせると共に、前記開口領域の上方のまぐさ部の内壁面に沿わせた状態で、平面Ｌ字形状の角部を前記矩形平面形状の一箇所の角部の上部に配置して、前記一方の辺部の間仕切り壁と前記他方の辺部の間仕切り壁との間に跨るようにして取り付けられており、前記引戸レール枠には、ガイドレールが設けられており、該ガイドレールに上端部を走行可能に係止させて、前記２枚引戸と前記１枚引戸とが、前記一方の辺部や前記他方の辺部に沿って、前記開口領域を開閉可能にスライド移動するトイレブースを提供することにより、上記目的を達成したものである。
【０００８】
また、本発明のトイレブースによれば、前記引戸レール枠は、前記２枚引戸を案内するガイドレールが設けられた箱状枠部と、前記１枚引戸を案内するガイドレールが設けられた棒状枠部とからなることが好ましい。
【０００９】
さらに、本発明のトイレブースによれば、前記引戸レール枠に沿ってスライド移動する前記２枚引戸や前記１枚引戸の下端面には、下部走行車輪が取り付けられており、これらの下部走行車輪は、前記一方の辺部の間仕切り壁や前記他方の辺部の間仕切り壁に沿ってこれらの内側の床面に取り付けられた下部ガイドレール上を、走行移動するようになっていることが好ましい。
【発明の効果】
【００１０】
本発明のトイレブースによれば、矩形平面形状の一箇所の角部を挟んだ両側の壁面に設けられた、開閉扉を有する出入り口を連続させることを可能にして、広いスペースを割くことなく介護作業等をさらに容易に行うことができる。
【発明を実施するための最良の形態】
【００１１】
図１〜図５に示す本発明の好ましい一実施形態に係るトイレブース１０は、例えば一般の住宅の居住空間にコンパクトに配置して設けられ、一箇所の角部１２を挟んだ両側の仕切り壁１１ａ，１１ｂに跨る大きな開口部１６を形成することを可能にして、介護が必要な被介護者や、車椅子利用者等が容易に出入りできるようにすると共に、介護者による介護作業等を容易に行えるようにするために採用されたものである。
【００１２】
すなわち、本実施形態のトイレブース１０は、４辺部が間仕切りされた矩形平面形状を備えると共に、便器１３が据付けられたトイレルームであって、矩形平面形状の一箇所の角部１２を挟んだ両側の辺部１４ａ、１４ｂの間仕切り壁１１ａ，１１ｂを切り欠いて、一方の辺部１４ａの略２／３の開口領域１５ａと、他方の辺部１４ｂの略１／２の開口領域１５ｂとが連続した開口部１６が形成されており、一方の辺部１４ａには、当該一方の辺部１４ａに沿って移動可能な２枚引戸１７ａ，１７ｂが、開閉扉として開口領域１５ａを開閉可能に設けられており、他方の辺部１４ｂには、当該他方の辺部１４ｂに沿って移動可能な１枚引戸１８が、開閉扉として開口領域１５ｂを開閉可能に設けられている。
【００１３】
また、本実施形態では、便器１３は、開口領域１５ａを全開放した状態で一方の辺部１４ａを正面側から見た際に、一端部１３ａが間仕切り壁１１ａ又は２枚引戸１７ａ，１７ｂから開口領域１５ａ側にはみ出すように（図１において０＜ｗとなるように）配置されて据付けられている。
【００１４】
本実施形態では、トイレブース１０は、一方の辺部１４ａの長さが１６００ｍｍ程度、他方の辺部１４ｂの長さが１３００ｍｍ程度のコンパクトな大きさの矩形平面形状を備えると共に、便器１３が、開口領域１５ｂが設けられた他方の辺部１４ｂと対向する間仕切り壁４０側に片寄せて据え付けられている。
【００１５】
そして、本実施形態では、後述する平面Ｌ字形状の引戸レール枠２０が、一方の辺部１４ａの間仕切り壁１１ａの上部内壁面と、他方の辺部１４ｂの間仕切り壁１１ｂの上部内壁面とに沿わせると共に、開口領域１５ａ，１５ｂの上方のまぐさ部１９ａ，１９ｂの内壁面に沿わせた状態で、これの角部２０ａをトイレブース１０の角部１２の上部に配置して、間仕切り壁１１ａ，１１ｂの間に跨るようにして取り付けられている。この引戸レール枠２０には、ガイドレール２１ａ，２１ｂ，２２（図６、図７参照）が設けられており、これらのガイドレール２１ａ，２１ｂ，２２に上端部を支持させて、２枚引戸１７ａ，１７ｂと１枚引戸１８とが、一方の辺部１４ａや他方の辺部１４ｂに沿って、開口領域１５ａ，１５ｂを各々開閉可能にスライド移動することになる。
【００１６】
ここで、引戸レール枠２０は、図６及び図７にも示すように、２枚引戸１７ａ，１７ｂを案内するガイドレール２１ａ，２１ｂが設けられた箱状枠部２３と、１枚引戸１８を案内するガイドレール２２が設けられた棒状枠部２４とからなる。
【００１７】
箱状枠部２３は、図６に示すように、上面板２３ａと一対の側面板２３ｂ，２３ｃとを組み付けることにより形成された、トイレブース１０の一方の辺部１４ａの長さよりも若干短い長さの、下端面が開口面となったコの字断面形状を有する中空箱形の部材である。また箱状枠部２３には、外側の側面板２３ｂの下端縁部から下端開口面の略１／３の領域を占めるように内側に張り出して、外側引戸規制板２５が、棒状枠部２４側の端面から内側引戸１７ｂのスライド方向の長さよりも若干短い長さで延長して設けられている（図５参照）。この外側引戸規制板２５には、棒状枠部２４側の端面と反対側の端面２５ａ（図５参照）に外側引戸１７ａの先端面が当接することにより、外側引戸１７ａは、開口領域１５ａの略１／２の領域を超えて、棒状枠部２４側にスライド移動しないように規制されることになる。さらに、箱状枠部２３の内側の側面板２３ｃは、その上端が上面板２３ａの内側縁部にヒンジ連結等されることにより、上面板２３ａに対して回動可能に取り付けられている。側面板２３ｃを上方に回動させて箱状枠部２３の内側の側面を開放することにより、ガイドレール２１ａ，２１ｂに２枚引戸１７ａ，１７ｂを装着する作業や、ガイドレール２１ａ，２１ｂ等を保守点検する作業を、容易に行うことができるようになっている。
【００１８】
また、本実施形態では、箱状枠部２３の中空内部における上面板２３ａと外側の側面板２３ｂとの角部分には、当該角部分に沿って、段差基台２６を構成する基台板２６ａが、箱状枠部２３の略全長に亘って２枚重ねで取り付けられている。
【００１９】
さらに、本実施形態では、箱状枠部２３の中空内部には、外側の側面板２３ｂの内側面に沿って公知の各種のレール金具を取り付けることにより、外側ガイドレール２１ａが設けられており、段差基台２６の内側面に沿って公知の各種のレール金具を取り付けることにより、内側ガイドレール２１ｂが設けられている。これらのガイドレール２１ａ，２１ｂには、２枚引戸を構成する外側引戸１７ａ及び内側引戸１７ｂの各々の上端部に取り付けられた、公知の各種のスライド金具の走行車輪２７ａ，２７ｂが走行可能に係止されて、外側引戸１７ａ及び内側引戸１７ｂは、ガイドレール２１ａ，２１ｂに上端部を各々支持された状態で、一方の辺部１４ａに沿ってスライド移動可能に設置されることになる。
【００２０】
棒状枠部２４は、図７に示すように、下面側にレール取付け凹部２８が両端部分を除く略全長に亘って切欠き形成された、略矩形の断面形状を有する、トイレブース１０の他方の辺部１４ｂの長さよりも若干短い長さのロッド状の部材である。棒状枠部２４のレール取付け凹部２８には、公知の各種のレール金具を嵌め込むようにして取り付けることにより、ガイドレール２２が設けられている。このガイドレール２２には、１枚引戸１８の上端部に取り付けた公知の各種のスライド金具の走行車輪２９が走行可能に係止されて、１枚引戸１８は、ガイドレール２２に上端部を支持された状態で、他方の辺部１４ｂに沿ってスライド移動可能に設置されることになる。
【００２１】
また、本実施形態では、棒状枠部２４は、箱状枠部２３側（引戸レール枠２０の角部２０ａ側）の端部の側面を当該箱形枠部２３の端面に接合固定することにより、箱状枠部２３の端部から棒状枠部２４が垂直に折れ曲がった状態で接合一体化された、平面Ｌ字形状の引戸レール枠２０が形成されることになる。このような引戸レール枠２０は、例えば住宅の新築時や改築時に、上述のように、箱状枠部２３や棒状枠部２４を、トイレブース１０の一方の辺部１４ａの間仕切り壁１１ａの上部内壁面と、他方の辺部１４ｂの間仕切り壁１１ｂの上部内壁面と、開口領域１５ａ，１５ｂの上方のまぐさ部１９ａ，１９ｂの内壁面とに沿わせた状態で、両側の間仕切り壁１１ａ，１１ｂの間に跨るようにして取り付けられることになる（図４、図５参照）。
【００２２】
引戸レール枠２０の箱状枠部２３に沿ってスライド移動する外側引戸１７ａ及び内側引戸１７ｂは、図６に示すように、公知の各種の引戸パネルからなり、上述のように、これらの上端部に取り付けた公知の各種のスライド金具の走行車輪２７ａ，２７ｂを箱状枠部２３の内部に設けたガイドレール２１ａ，２１ｂに走行可能に係止することにより、外側引戸１７ａ及び内側引戸１７ｂは、トイレブース１０の一方の辺部１４ａに沿ってスライド移動する。また、本実施形態では、外側引戸１７ａ及び内側引戸１７ｂの下端面には、下部走行車輪３０ａ，３０ｂが取り付けられている。
【００２３】
外側引戸１７ａに取り付けられた下部走行車輪３０ａは、トイレブース１０の一方の辺部１４ａの間仕切り壁１１ａに沿ってこれの内側の床面４１に間仕切り壁１１ａと平行に延設して取り付けられた外側下部ガイドレール３１ａ上を、走行移動するようになっている。また内側引戸１７ｂに取り付けられた下部走行車輪３０ｂは、外側引戸１７ａの下端部内側面に沿って延設して取り付けられた内側下部ガイドレール３１ｂ上を、走行移動するようになっている。
【００２４】
下部走行車輪３０ａ，３０ｂを、外側下部ガイドレール３１ａや内側下部ガイドレール３１ｂに沿って移動させることにより、上方のガイドレール２１ａ，２１ｂと共に上端部及び下端部を同時に案内しつつ外側引戸１７ａや内側引戸１７ｂをスライド移動させることが可能になり、これによって、トイレブース１０の一方の辺部１４ａに沿った開口領域１５ａをより安定した状態でスムーズに開閉することが可能になる。
【００２５】
また、本実施形態では、内側引戸１７ｂの先端部分には、図４、図５、及び図８に示すように、内側及び外側の側面から張り出すように突出して、引き手ロッド３２が取り付けられている。この引き手ロッド３２を把持して、トイレブース１０の外側あるいは内側から、２枚引戸１７ａ，１７ｂの開閉操作を行うことができるようになっている。また引き手ロッド３２を把持して内側引戸１７ｂを開口領域１５ａ側にスライド移動させ、内側引戸１７ｂの後端部分が外側引戸１７ａの先端部分まで移動したら、外側引戸１７ａは、内側引戸１７ｂに係止されて内側引戸１７ｂと共に開口領域１５ａ側にスライド移動するようになっている。外側引戸１７ａは、上述のように、その先端側の端面が箱形枠部２３に設けられた外側引戸規制板２５の端面２５ａに当接するまで移動したら、それ以上開口領域１５ａ側に移動しないように規制されることになる。
【００２６】
さらに、本実施形態では、内側引戸１７ｂの先端部分には、図９に示すように、２枚引戸１７ａ，１７ｂによって開口領域１５ａを閉塞した状態で、内側引戸１７ｂを他方の辺部１４ｂの１枚引戸１８の先端部分に着脱可能にロックしておくための、鍵錠手段としてのフック部材３３ａが、引き手ロッド３２の下方に配置されて回動可能に取り付けられている。フック部材３３ａは、回動円盤部３３ｂを介した回動操作によって、内側引戸１７ｂの先端部分の内部に収納された状態から外側に張り出すように突出し、１枚引戸１８の先端部分の内側面に設けられた係着凹部３３ｃに着脱可能に係止されることにより、開口部１６を閉塞した状態でロックする。なお、回動円盤部３３ｂは、内側引戸１７ｂの先端部分の内側及び外側の側面に臨むように配置されると共に、内側及び外側の側面に臨む部分には例えばコイン係止溝３３ｄが形成されていて、ロック状態を解除する操作を容易に行うことができるようになっている。
【００２７】
引戸レール枠２０のロッド状枠部２４に沿ってスライド移動する１枚引戸１８もまた、図７に示すように、公知の各種の引戸パネルからなり、上述のように、上端部に取り付けた公知の各種のスライド金具の走行車輪２９をロッド状枠部２４のレール取付け凹部２８に設けたガイドレール２２に走行可能に係止することにより、１枚引戸１８は、他方の辺部１４ｂに沿ってスライド移動する。また、本実施形態では、１枚引戸１８の下端面には、下部走行車輪３４が取り付けられている。
【００２８】
１枚引戸１８に取り付けられた下部走行車輪３４は、トイレブース１０の他方の辺部１４ｂの間仕切り壁１１ｂに沿ってこれの内側の床面４１に間仕切り壁１１ｂと平行に延設して取り付けられた下部ガイドレール３５上を、走行移動するようになっている。下部走行車輪３４を、下部ガイドレール３５に沿って移動させることにより、上方のガイドレール２２と共に上端部及び下端部を同時に案内しつつ１枚引戸１８をスライド移動させることが可能になり、これによって、トイレブース１０の他方の辺部１４ｂに沿った開口領域１５ｂをより安定した状態でスムーズに開閉することが可能になる。
【００２９】
また、本実施形態では、１枚引戸１８の先端部分の内側面及び外側面には、引き手３８が取り付けられていると共に、内側面には、図９に示すように、上述の内側引戸１７ｂに設けられたフック部材３３ａが着脱可能に係止される、鍵錠手段としての係着凹部３３ｃが設けられている。さらに、本実施形態では、１枚引戸１８の先端面の下端部には、図１０に示すように、フランス落し３６が設けられている。他方の辺部１４ｂの開口領域１５ｂを開放する必要がない場合に、フランス落し３６をトイレブース１０の角部分の床面４１に設けた係着孔３７に係止しておくことにより、１枚引戸１８によって開口領域１５ｂを閉塞した状態を保持して、２枚引戸１７ａ，１７ｂを開閉しつつ一方の辺部１４ａの開口領域１５ａのみからトイレブース１０に出入りさせることが可能になる。
【００３０】
そして、上述の構成を有する本実施形態のトイレブース１０によれば、矩形平面形状の一箇所の角部１２を挟んだ両側の壁面としての間仕切り壁１１ａ，１１ｂに設けられた、開閉扉１７ａ，１７ｂ，１８を有する出入り口を連続させることを可能にして、広いスペースを割くことなく介護作業等をさらに容易に行うことが可能になる。
【００３１】
すなわち、本実施形態によれば、トイレブース１０は、４辺部が間仕切りされた矩形平面形状の一箇所の角部１２を挟んだ両側の辺部１４ａ、１４ｂの間仕切り壁１１ａ，１１ｂを切り欠いて、一方の辺部１４ａの略２／３の開口領域１５ａと、他方の辺部１４ｂの略１／２の開口領域１５ｂとが連続した開口部１６が形成されており、一方の辺部１４ａには、当該一方の辺部１４ａに沿って移動可能な２枚引戸１７ａ，１７ｂが、開閉扉として開口領域１５ａを開閉可能に設けられており、他方の辺部１４ｂには、当該他方の辺部１４ｂに沿って移動可能な１枚引戸１８が、開閉扉として開口領域１５ｂを開閉可能に設けられているので、必要に応じて２枚引戸１７ａ，１７ｂと１枚引戸１８とをスライド移動して、例えば一方の辺部１４ａの開口領域１５ａと、他方の辺部１４ｂの開口領域１５ｂとを全開放した状態とすれば、角部１２において分断されることなく連続した大きな面積の開口部（出入り口）１６が形成されるので、このような大きな面積の開口部を介して、介護作業等をさらに容易に行うことが可能になる。また、これによって、トイレブース１０を例えば内内が１．３ｍ×１．６ｍ程度の大きさの矩形平面形状の空間として、コンパクトに形成することが可能になる。
【００３２】
さらに、本実施形態では、便器１３は、開口領域１５ａを全開放した状態で一方の辺部１４ａを正面側から見た際に、一端部１３ａが間仕切り壁１１ａや２枚引戸１７ａ，１７ｂから開口領域１５ａ側にはみ出すように（図１において０＜ｗとなるように）配置されて据付けられているので、便器を使用する被介護者の側部からの介護作業を、介護者が行い易くなる。
【００３３】
図１１は、本発明の好ましい他の実施形態に係るトイレブース１０’を示すものである。図１１に示すトイレブース１０’によれば、便器１３が開口部１２と対角位置の隅部３８から斜めに配置されて据付けられていること以外は、上記実施形態のトイレブース１０と同様の構成を備えている。図１１に示すトイレブース１０’によれば、上記実施形態のトイレブース１０と同様の作用効果が奏される他、便器１３が開口部１２と対角位置の隅部３８から斜めに配置されていることにより、便器１３の左右の空間が広がることになり、便器１３を使用する被介護者の側部からの介護作業を、左右どちらの側からでも行い易くなる。また、便器１３を開口部１２と対角位置の隅部３８に据付ける際に、開口部１２側に例えば１０〜２０ｃｍ程度余分に移動して設置することにより、便器１３の左右の介護スペースをさらに広げて、介護作業をより一層行い易くすることが可能になる。
【００３４】
なお、本発明は上記各実施形態に限定されることなく種々の変更が可能である。例えば、便器は、一方の辺部の開口領域を全開放した状態で一方の辺部を正面側から見た際に開口領域側にはみ出すよう配置される必要必ずしもない。一方の辺部の開口領域を開閉する２枚引戸や、他方の辺部の開口領域を開閉する１枚引戸は、箱状枠部２３と棒状枠部２４とからな引戸レール枠２０に沿ってスライド移動するものである必要は必ずしもなく、その他の種々の構成の平面Ｌ字形状の引戸レール枠に沿って移動するものであっても良い。
【００３５】
また、上記各実施形態において採用された引戸レール枠２０は、その外観形状が意匠的にも優れたものであるため、その６面図を図１２〜図１７に開示する。
【図面の簡単な説明】
【００３６】
【図１】本実施形態の好ましい一実施形態に係るトイレブースを示す、図２のＡ−Ａに沿った断面図である。
【図２】図１をＢ方向から見た正面図である。
【図３】図１をＣ方向から見た正面図である。
【図４】図１をＤ方向から見た開口部を閉塞した状態の斜視図である。
【図５】図１をＤ方向から見た開口部を開放した状態の斜視図である。
【図６】図２のＥ−Ｅに沿った断面図である。
【図７】図２のＦ−Ｆに沿った断面図である。
【図８】引き手ロッドの取り付け状態を説明する部分上面図である。
【図９】フック部材及び係着凹部の構成を説明する部分正面図である。
【図１０】フランス落し３６の構成を説明する部分斜視図である。
【図１１】本実施形態の好ましい他の実施形態に係るトイレブースを示す、図２のＡ−Ａに沿った断面図である。
【図１２】引戸レール枠の正面図である。
【図１３】引戸レール枠の背面図である。
【図１４】引戸レール枠の左側面図である。
【図１５】引戸レール枠の右側面図である。
【図１６】引戸レール枠の平面図である。
【図１７】引戸レール枠の底面図である。
【符号の説明】
【００３７】
１０，１０’  トイレブース
１１ａ，１１ｂ  仕切り壁（壁面）
１２  矩形平面形状の一箇所の角部
１３  便器
１３ａ  便器の一端部
１４ａ  一方の辺部
１４ｂ  他方の辺部
１５ａ，１５ｂ  開口領域
１６  開口部
１７ａ  外側引戸（２枚引戸）
１７ｂ  内側引戸（２枚引戸）
１８  １枚引戸
１９ａ，１９ｂ  まぐさ部
２０  引戸レール枠
２１ａ，２１ｂ，２２  ガイドレール
２３  箱状枠部
２４  棒状枠部
２７ａ，２７ｂ，２９  走行車輪
３０ａ，３０ｂ，３４  下部走行車輪
３１ａ  外側下部ガイドレール
３１ｂ  内側下部ガイドレール
３２  引き手ロッド
３５  下部ガイドレール
【図１】
0005364892.tif 000002
【図２】
0005364892.tif 000003
【図３】
0005364892.tif 000004
【図４】
0005364892.tif 000005
【図５】
0005364892.tif 000006
【図６】
0005364892.tif 000007
【図７】
0005364892.tif 000008
【図８】
0005364892.tif 000009
【図９】
0005364892.tif 000010
【図１０】
0005364892.tif 000011
【図１１】
0005364892.tif 000012
【図１２】
0005364892.tif 000013
【図１３】
0005364892.tif 000014
【図１４】
0005364892.tif 000015
【図１５】
0005364892.tif 000016
【図１６】
0005364892.tif 000017
【図１７】
0005364892.tif 000018